(57)【要約】【課題】針無し綴じ手段の綴じ力を確保するために形成画像を補正する場合でも、常に一律の補正量で補正する場合に比して、補正量が抑制された画像処理装置および綴じ処理プログラムを提供すること。【解決手段】記録媒体の予め定められた位置において、複数の記録媒体を針を用いずに綴じる綴じ処理を行う綴じ手段と、記録媒体に画像を形成する形成手段と、形成すべき形成画像の記録媒体上の形成領域が予め定められた位置と重なる場合に、指定された綴じ手段の条件、および記録媒体の条件に応じて形成領域を移動させる移動手段と、を含む。【選択図】図３
2020005205.tif 000002
【特許請求の範囲】
【請求項１】
記録媒体の予め定められた位置において、複数の前記記録媒体を針を用いずに綴じる綴じ処理を行う綴じ手段と、
前記記録媒体に画像を形成する形成手段と、
形成すべき形成画像の前記記録媒体上の形成領域が前記予め定められた位置と重なる場合に、指定された前記綴じ手段の条件、および前記記録媒体の条件に応じて前記形成領域を移動させる移動手段と、を含む
画像処理装置。
【請求項２】
前記綴じ手段の条件が、前記綴じ処理の個数および前記記録媒体上の位置のいずれかを含み、
前記記録媒体の条件が、前記記録媒体の大きさ、画像形成に伴う移動方向、および排出時の向きのいずれかを含む
請求項１に記載の画像処理装置。
【請求項３】
前記移動手段は、前記綴じ処理の個数、前記記録媒体上の位置、および前記記録媒体の排出時の向きに応じて予め定められた移動量だけ移動させる
請求項２に記載の画像処理装置。
【請求項４】
前記移動量が前記記録媒体の画像形成に伴う移動方向に交差する方向を第１の方向、前記移動方向を第２の方向とする２方向への移動量で示される
請求項３に記載の画像処理装置。
【請求項５】
前記綴じ手段は、前記綴じ手段の長手方向が前記第２の方向に沿った方向である第１の綴じ手段と、前記綴じ手段の長手方向が前記第２の方向と交差する方向である第２の綴じ手段と、を備える
請求項４に記載の画像処理装置。
【請求項６】
前記移動手段は、前記第１の綴じ手段に対しては前記形成領域と前記予め定められた位置とが重ならないように移動させ、前記第２の綴じ手段に対しては前記形成領域と前記予め定められた位置とが予め定められた重複量だけ重複されることを許容して移動させる
請求項５に記載の画像処理装置。
【請求項７】
前記綴じ手段の種類ごとに、前記綴じ処理の個数、前記記録媒体上の位置、および前記記録媒体の排出時の向きのいずれかと前記移動量との関係を記憶する記憶部をさらに含む
請求項３から請求項６のいずれか１項に記載の画像処理装置。
【請求項８】
前記記憶部は、前記綴じ手段の種類ごとに、前記綴じ処理の個数、前記記録媒体上の位置、および前記記録媒体の排出時の向きと前記移動量との関係を記憶する
請求項７に記載の画像処理装置。
【請求項９】
前記移動手段は、前記形成画像の形成領域を移動させた結果形成画像の一部が画像形成できなくなった場合には、当該形成画像の一部が画像形成できるように前記形成画像を縮小する
請求項１から請求項８のいずれか１項に記載の画像処理装置。
【請求項１０】
記録媒体の予め定められた位置において、複数の前記記録媒体を針を用いずに綴じる綴じ処理を行う綴じ手段、および前記記録媒体に画像を形成する形成手段を備えた画像処理装置における綴じ処理プログラムであって、
コンピュータを、
形成すべき形成画像の前記記録媒体上の形成領域が前記予め定められた位置と重なる場合に、指定された前記綴じ手段の条件、および前記記録媒体の条件に応じて前記形成領域を移動させる移動手段として機能させるための
綴じ処理プログラム。
【発明の詳細な説明】
【技術分野】
【０００１】
本発明は、画像処理装置および綴じ処理プログラムに関する。
【背景技術】
【０００２】
特許文献１には、複数のシートを針を用いずに綴じる綴じ処理を行う綴じ手段と、画像データをシートに印刷する印刷手段と、綴じ手段が綴じ処理する位置に、印刷手段が画像データを印刷しないように異なる加工処理を行う複数の加工手段と、複数の加工手段のうち、印刷すべき画像データのサイズを縮小する加工手段よりも、当該画像データのサイズを縮小しないいずれかの加工手段を優先して選択する選択手段と、画像データに選択された加工処理を実行する画像処理手段と、を備えることを特徴とする印刷装置が開示されている。
【先行技術文献】
【特許文献】
【０００３】
【特許文献１】特開２０１４−１０９６０５号公報
【発明の概要】
【発明が解決しようとする課題】
【０００４】
本発明は、針無し綴じ手段の綴じ力を確保するために形成画像を補正する場合でも、常に一律の補正量で補正する場合に比して、補正量が抑制された画像処理装置および綴じ処理プログラムを提供することを目的とする。
【課題を解決するための手段】
【０００５】
上記の目的を達成するために、請求項１に記載の画像処理装置は、記録媒体の予め定められた位置において、複数の前記記録媒体を針を用いずに綴じる綴じ処理を行う綴じ手段と、前記記録媒体に画像を形成する形成手段と、形成すべき形成画像の前記記録媒体上の形成領域が前記予め定められた位置と重なる場合に、指定された前記綴じ手段の条件、および前記記録媒体の条件に応じて前記形成領域を移動させる移動手段と、を含むものである。
【０００６】
また、請求項２に記載の発明は、請求項１に記載の発明において、前記綴じ手段の条件が、前記綴じ処理の個数および前記記録媒体上の位置のいずれかを含み、前記記録媒体の条件が、前記記録媒体の大きさ、画像形成に伴う移動方向、および排出時の向きのいずれかを含むものである。
【０００７】
また、請求項３に記載の発明は、請求項２に記載の発明において、前記移動手段は、前記綴じ処理の個数、前記記録媒体上の位置、および前記記録媒体の排出時の向きに応じて予め定められた移動量だけ移動させるものである。
【０００８】
また、請求項４に記載の発明は、請求項３に記載の発明において、前記移動量が前記記録媒体の画像形成に伴う移動方向に交差する方向を第１の方向、前記移動方向を第２の方向とする２方向への移動量で示されるものである。
【０００９】
また、請求項５に記載の発明は、請求項４に記載の発明において、前記綴じ手段は、前記綴じ手段の長手方向が前記第２の方向に沿った方向である第１の綴じ手段と、前記綴じ手段の長手方向が前記第２の方向と交差する方向である第２の綴じ手段と、を備えるものである。
【００１０】
また、請求項６に記載の発明は、請求項５に記載の発明において、前記移動手段は、前記第１の綴じ手段に対しては前記形成領域と前記予め定められた位置とが重ならないように移動させ、前記第２の綴じ手段に対しては前記形成領域と前記予め定められた位置とが予め定められた重複量だけ重複されることを許容して移動させるものである。
【００１１】
また、請求項７に記載の発明は、請求項３から請求項６のいずれか１項に記載の発明において、前記綴じ手段の種類ごとに、前記綴じ処理の個数、前記記録媒体上の位置、および前記記録媒体の排出時の向きのいずれかと前記移動量との関係を記憶する記憶部をさらに含むものである。
【００１２】
また、請求項８に記載の発明は、請求項７に記載の発明において、前記記憶部は、前記綴じ手段の種類ごとに、前記綴じ処理の個数、前記記録媒体上の位置、および前記記録媒体の排出時の向きと前記移動量との関係を記憶するものである。
【００１３】
また、請求項９に記載の発明は、請求項１から請求項８のいずれか１項に記載の発明において、前記移動手段は、前記形成画像の形成領域を移動させた結果形成画像の一部が画像形成できなくなった場合には、当該形成画像の一部が画像形成できるように前記形成画像を縮小するものである。
【００１４】
上記の目的を達成するために、請求項１０に記載の綴じ処理プログラムは、記録媒体の予め定められた位置において、複数の前記記録媒体を針を用いずに綴じる綴じ処理を行う綴じ手段、および前記記録媒体に画像を形成する形成手段を備えた画像処理装置における綴じ処理プログラムであって、コンピュータを、形成すべき形成画像の前記記録媒体上の形成領域が前記予め定められた位置と重なる場合に、指定された前記綴じ手段の条件、および前記記録媒体の条件に応じて前記形成領域を移動させる移動手段として機能させるためのものである。
【発明の効果】
【００１５】
請求項１、および請求項１０に記載の発明によれば、針無し綴じ手段の綴じ力を確保するために形成画像を補正する場合でも、常に一律の補正量で補正する場合に比して、補正量が抑制された画像処理装置および綴じ処理プログラムが提供される、という効果を奏する。
【００１６】
請求項２に記載の発明によれば、綴じ手段の条件が、綴じ処理の個数および記録媒体上の位置のいずれも含まないか、または記録媒体の条件が、記録媒体の大きさ、画像形成に伴う移動方向、および排出時の向きのいずれも含まない場合と比較して、綴じ処理の種類がより容易に判別される、という効果を奏する。
【００１７】
請求項３に記載の発明によれば、移動手段が、綴じ処理の個数、前記記録媒体上の位置、および記録媒体の排出時の向きのいずれかに応じて移動させる場合と比較して、移動量がより正確に算出される、という効果を奏する。
【００１８】
請求項４に記載の発明によれば、移動量が第１の方向、および第２の方向のいずれか一方で示される場合と比較して、形成領域がより精密に移動される、という効果を奏する。      
【００１９】
請求項５に記載の発明によれば、綴じ手段が、第１の綴じ手段、および第２の綴じ手段のいずれか一方を備える場合と比較して、綴じ処理の形態が多様化される、という効果を奏する。
【００２０】
請求項６に記載の発明によれば、移動手段が、第１の綴じ手段および第２の綴じ手段の双方とも形成領域と予め定められた位置とが重ならないように移動させる場合と比較して、より移動量が少なくされる、という効果を奏する。
【００２１】
請求項７に記載の発明によれば、綴じ手段の種類ごとに、綴じ処理の個数、記録媒体上の位置、および記録媒体の排出時の向きと移動量との関係を記憶する場合と比較して、記憶部の記憶容量が削減される、という効果を奏する。
【００２２】
請求項８に記載の発明によれば、記憶部が、綴じ手段の種類ごとに、綴じ処理の個数、記録媒体上の位置、および記録媒体の排出時の向きのいずれかと移動量との関係を記憶する場合と比較して、綴じ処理の種類の判別がより正確になる、という効果を奏する。
【００２３】
請求項９に記載の発明によれば、移動手段が、形成画像の形成領域を移動させた結果形成画像の一部が画像形成できなくなった場合に、当該形成画像の一部が画像形成できるように形成画像を縮小しない場合と比較して、形成画像の情報の欠落が抑制される、という効果を奏する。
【図面の簡単な説明】
【００２４】
【図１】実施の形態に係る画像処理装置の構成の一例を示す断面図である。
【図２】実施の形態に係る綴じ処理を実行する構成を説明する図である。
【図３】実施の形態に係る綴じ処理プログラムの処理の流れを示すフローチャートである。
【図４】実施の形態に係る綴じ処理に用いる、（ａ）ステープル種類判定テーブルの一例、（ｂ）はステープル種類−オフセット量判定テーブルの一例を示す図である。
【図５】実施の形態に係る綴じ処理の形態を説明する図である。
【発明を実施するための形態】
【００２５】
以下、図１から図４を参照して、本実施の形態に係る画像処理装置および綴じ処理プログラムについて詳細に説明する。
【００２６】
図１は、本実施の形態が適用される画像処理装置１の全体構成を示した図である。本実施の形態の画像処理装置１は、例えば用紙（記録媒体）に対して画像を形成する画像形成装置２と、原稿に形成された画像を読み取る画像読取装置３と、ユーザからの操作指示を受け付けるとともにユーザに対して各種情報を表示する操作受付装置４を備えている。また、画像処理装置１は、ＣＰＵ（Central Processing Unit）やＲＯＭ（Read Only Memory）、ＲＡＭ（Random Access Memory）等を備え、画像処理装置１の動作を制御する制御装置５を備えている。さらに、画像処理装置１は、画像形成装置２によって画像が形成された用紙に対して針無し綴じ処理を施す第１用紙処理装置６と、第２用紙処理装置８とを備えている。
【００２７】
画像形成装置２は、いわゆるタンデム方式で構成され各色画像データに基づき画像を形成する画像形成部１０と、用紙Ｓを収容する複数の（この例では２つ）用紙トレイ２０ａを有し画像形成部１０に用紙Ｓを供給する用紙供給部２０とを備えている。また、画像形成装置２は、画像形成部１０および用紙供給部２０を内部に収容する筐体３０を備えている。さらに、画像形成装置２は、用紙供給部２０から画像形成部１０を介して第１用紙処理装置６および第２用紙処理装置８へ用紙が搬送される用紙搬送路４０を備えている。
【００２８】
画像形成部１０は、ブラック（Ｋ）、イエロー（Ｙ）、マゼンタ（Ｍ）、シアン（Ｃ）の各色に対応し水平方向に並列配置される４つの感光体ドラム１１と、各感光体ドラム１１に対応して配設される４つの一次転写ロール１２と、各感光体ドラム１１上に形成されたトナー像が順次一次転写される中間転写ベルト１３と、中間転写ベルト１３に一次転写されたトナー像を用紙Ｓに二次転写する二次転写ロール１４と、二次転写後の用紙Ｓにトナー像を定着させる定着装置１５とを備えている。
【００２９】
ここで、感光体ドラム１１の周囲には、それぞれ、感光体ドラム１１の表面を帯電する帯電器（不図示）、この帯電器によって帯電された感光体ドラム１１の表面にレーザ照射によって静電潜像を形成するレーザ書込み装置（不図示）、感光体ドラム１１に形成された静電潜像を各色トナーで現像し可視化する現像器（不図示）、一次転写後に感光体ドラム１１に残存する残留トナーを除去するクリーナ（不図示）等が配置されている。
【００３０】
これに対し、各一次転写ロール１２は、それぞれに対応する感光体ドラム１１に、中間転写ベルト１３を介して対向配置されるようになっている。これらの一次転写ロール１２は、対応する感光体ドラム１１上に形成されたトナー像を中間転写ベルト１３に一次転写するものである。また、中間転写ベルト１３は、複数の支持ロール（不図示）によってループ状に張架されている。
【００３１】
また、二次転写ロール１４は、中間転写ベルト１３と対向して設けられている。二次転写ロール１４は、中間転写ベルト１３上に順次一次転写された各色のトナー像を用紙Ｓに一括して静電転写（二次転写）する。定着装置１５は、例えば内部に熱源を有する加熱部材と、加熱部材との間に加圧部を形成する加圧部材とを備え、この加圧部に用紙Ｓを通過させることで、加熱および加圧によって用紙Ｓにトナー像を定着させる。
【００３２】
そして、画像形成部１０では、中間転写ベルト１３上の各色トナー像が二次転写ロール１４の配置位置に搬送されるタイミングに合わせて、用紙供給部２０から用紙Ｓが二次転写ロール１４に供給される。これにより、二次転写ロール１４により形成された転写電界の作用によって各色トナー像が用紙Ｓ上に一括して静電転写される。その後、各色トナー像が二次転写された用紙Ｓは、中間転写ベルト１３から剥離されて定着装置１５に搬送される。定着装置１５では、熱および圧力による定着処理により各色トナー像が用紙Ｓ上に定着され、用紙Ｓにカラー画像が形成される。そして、カラー画像が形成された用紙Ｓは、画像形成装置２から排出され、画像形成装置２に接続された第１用紙処理装置６または第２用紙処理装置８へ搬送される。
【００３３】
筐体３０は、画像形成部１０にて画像が形成された用紙Ｓを第１用紙処理装置６に向けて排出する第１排出口３１、および画像形成部１０にて画像が形成された用紙Ｓを第２用紙処理装置８に向けて排出する第２排出口３２を備えている。また、筐体３０は、第１用紙処理装置６から排出された用紙Ｓや用紙束等が積載される処理装置側積載部６７、および第２用紙処理装置８から排出された用紙Ｓや用紙束等が積載される本体側積載部３３を備えている。
【００３４】
用紙搬送路４０は、図１に示すように、画像形成部１０における定着装置１５の下流部に、用紙Ｓの搬送方向が分かれる分岐部４０ａを有している。そして、用紙搬送路４０は、分岐部４０ａから第１排出口３１に向けて用紙Ｓが搬送される第１搬送路４１と、分岐部４０ａから第２排出口３２に向けて用紙Ｓが搬送される第２搬送路４２とを有している。
【００３５】
また、用紙搬送路４０の分岐部４０ａには、画像形成部１０から分岐部４０ａに搬送された用紙Ｓを第１搬送路４１または第２搬送路４２に振り分ける振分機構４３が設けられている。振分機構４３は、制御装置５による制御に基づいて、分岐部４０ａに搬送された用紙Ｓを第１搬送路４１または第２搬送路４２に振り分ける。さらにまた、用紙搬送路４０の第１搬送路４１には、第１搬送路４１に搬送された用紙Ｓを第１排出口３１から第１用紙処理装置６に向けて排出する第１排出ロール４４が設けられている。さらにまた、用紙搬送路４０の第２搬送路４２には、第２搬送路４２に搬送された用紙Ｓを第２排出口３２から第２用紙処理装置８に向けて排出する第２排出ロール４５が設けられている。
【００３６】
第１搬送路４１では、画像形成部１０にて画像が形成された用紙Ｓは、画像が形成された面（画像形成面）を鉛直上方に向けた状態（フェイスアップ）で搬送される。そして、この用紙Ｓは、画像形成面を鉛直上方に向けた状態で、第１排出ロール４４によって第１排出口３１から第１用紙処理装置６へ排出される。一方、第２搬送路４２では、画像形成部１０にて画像が形成された用紙Ｓは、画像形成面を鉛直下方に向けた状態（フェイスダウン）で搬送される。そして、この用紙Ｓは、画像形成面を鉛直下方に向けた状態で、第２排出ロール４５によって第２排出口３２から第２用紙処理装置８へ排出される。
【００３７】
ところで、画像処理装置に搭載された針無し綴じ手段は、綴じ位置に画像が印刷されると、トナーの影響で針無し綴じがはがれ場合がある。そのため、針無し綴じ処理の位置に画像が形成されないように、画像をオフセットする（移動する）技術、あるいは画像を縮小する技術が知られている。なお、本実施の形態では画像を移動させること、または縮小することを「補正」という。また、以下では針無し綴じ処理を「針無しステープル」という場合がある。
【００３８】
しかしながら、一律に画像をオフセットさせたり、縮小させたりすると、オフセットの量、縮小の率が過剰になる場合がある。これは針無し綴じ処理の綴じ位置と形成予定の画像（形成画像）の形成領域との重複を回避するための移動量が、針無し綴じ処理の方法（種類）によって異なるためである。過剰なオフセットの量、あるいは過剰な縮小の率、つまり過剰な補正が形成画像に付与されると、画像の可読性が低下する可能性も想定される。
【００３９】
一方、画像処理装置１による画像の形成（印刷）は、一般に画像処理装置１と有線回線、あるいは無線回線で接続された端末装置のアプリケーションソフトウエアを介して行なわれる。図２はこの状態を示しており、端末装置９がネットワーク回線６１を介して画像処理装置１に接続されている。印刷の実行は、端末装置９にインストールされアプリケーションソフトウエア６２と連携している画像処理装置１のプリンタドライバ６０によって制御される。しかしながら本構成におけるプリンタドライバ６０は、針無しステープルの方法（種類）を判断することができない。つまりオフセット量（移動量）は針無しステープルの種類によって異なるため、適切なオフセット量を設定することができない。ここで、本実施の形態に係る端末装置９は、例えばパーソナルコンピュータ（Ｐｅｒｓｏｎａｌ  Ｃｏｍｐｕｔｅｒ：ＰＣ）、タブレットＰＣ，モバイル端末等である。
【００４０】
そこで本発明では、形成画像が針無し綴じ処理の位置と重なる場合に、形成画像の領域を、指定された綴じ手段の条件、および記録媒体の条件に応じて移動させることとした。このことによりオフセットが優先されかつ移動量が最小限に抑制されるので、針無し綴じ手段の綴じ力を確保するために形成画像を補正する場合でも、常に一律の補正量で補正する場合に比して、補正量が抑制された画像処理装置および綴じ処理プログラムが提供される。なお、上記課題がオフセットで回避できない場合には、さらに形成画像を縮小することとしてもよい。
【００４１】
本実施の形態に係る画像処理装置１で実行される綴じ処理の概要について、一例を示し具体的に説明する。本例では画像処理装置１の給紙トレイにＡ４用紙がセットされ、ユーザがＡ４用紙に対して針無しステープル１カ所を左上に指定し印刷した場合を例示して説明する。
（手順１）ユーザが印刷時にプリンタドライバ６０の印刷設定を開く。
（手順２）プリンタドライバ６０は画像処理装置１の給紙トレイにセットされている用紙情報を後述する給紙トレイ情報取得モジュールにより取得する。
（手順３）ユーザがプリンタドライバ６０の印刷設定で、用紙サイズＡ４に対して針無しステープル１カ所を左上で設定する。
（手順４）プリンタドライバ６０は、オプション構成で選択されているフィニッシャー、画像処理装置１の給紙トレイに設定されている用紙サイズと給紙方向、針無しステープルの指定情報に基づいて、後述するステープル種類判定テーブルからステープル種類を判定する。
（手順５）プリンタドライバ６０は（手順４）で判定したステープル種類を元に、後述するステープル種類−オフセット量判定テーブルでオフセット量を決定する。
（手順６）プリンタドライバ６０は綴じしろ機能によりユーザが指定した針無し綴じ処理にあわせて最適なオフセット（形成画像の移動）を行う。
【００４２】
図３を参照して、本実施の形態に係るプリンタドライバ６０で実行される綴じ処理についてより具体的に説明する。図３は、本実施の形態に係る綴じ処理プログラムの処理の流れを示すフローチャートである。本実施の形態に係る画像処理装置１では、図３に示す処理は、端末装置（以下、「ＰＣ」としパーソナルコンピュータを例示して説明する）を介して印刷の開始を指示することで、プリンタドライバ６０が実行する。なお、以下の説明ではＰＣ上にアプリケーションソフトウエア６２と印刷を行なうためのプリンタドライバ６０がインストールされ、利用可能となっているものとする。
【００４３】
ステップＳ１００で、ステープルの条件、および用紙の条件を取得する。
【００４４】
ここでいうステープルの条件とは、フィニッシャーの機種、針無しステープルの少なくとも一方の指定をいう。むろんこれら以外の条件を追加してもよい。フィニッシャーの機種とは、画像処理装置１に備えられたフィニッシャーの種類（例えば、第１用紙処理装置６、第２用紙処理装置８）をいう。従ってフィニッシャーの機種は画像処理装置１から取得する。針無しステープルの指定とはユーザによって指定された針無しステープルの態様をいい、１カ所、２カ所等の個数、左上、右上等の位置の少なくとも一方で指定される。針無しステープルの態様は、アプリケーションソフトウエア６２を介したユーザによる指定から取得する。
【００４５】
図５を参照して、針無しステープルの態様についてより詳細に説明する。本実施の形態では、針無しステープルの態様の一例として、フロントステープル、リアステープル、デュアルステープルの３種類としている。図５（ａ）＜１＞に示すようにフロントステープルの場合は、形成画像Ｇ１が印刷された用紙Ｓの左下に約４５度傾いた針無しステープル５０が施される。また、図５（ｂ）＜１＞に示すようにリアステープルの場合は、形成画像Ｇ２が印刷された用紙Ｓの左上にほぼ長辺方向に沿った針無しステープル５０が施される。さらに図５（ｃ）＜１＞に示すデュアルステープルの場合は、ほぼ長辺方向に沿った左上、下の２カ所に針無しステープル５０−１、５０−２が施される。
【００４６】
ここでいう用紙の条件とは、用紙のサイズ、印刷に伴う移動方向、排出時の向きのうちの少なくとも一つをいう。しかしながら、用紙情報はこれらに限られず他の条件を追加してよい。用紙のサイズとは、例えばＡ４、Ｂ４等のサイズをいう。印刷に伴う移動方向とは給紙方向であり、例えばいわゆるＳＥＦ（Ｓｈｏｒｔ  Ｅｄｇｅ  Ｆｅｅｄ）、ＬＥＦ（Ｌｏｎｇ  Ｅｄｇｅ  Ｆｅｅｄ）をいう。つまり、図５において用紙Ｓの搬送方向が長辺方向である場合がＳＥＦであり、用紙Ｓの搬送方向が短辺方向である場合がＬＥＦである。排出時の向きとは、処理装置側積載部６７、または本体側積載部３３に排出された際の印刷面の向きをいい、フェイスアップ、またはフェイスダウンの区分をいう。用紙のサイズはアプリケーションソフトウエア６２を介したユーザによる指定から取得し、給紙方向、排出時の向きは画像処理装置１から取得する。この際、給紙トレイ情報取得モジュールとしてプログラム化しておき、該プログラムを用いて取得するようにしてもよい。
【００４７】
再び図３を参照して、ステップＳ１０２ではステープル種類を取得する。ここでいうステープル種類とは図５に示す３つの針無しステープルの態様をいう。ステープル種類はステップＳ１００で取得したステープルの条件、および用紙の条件に基づいて取得する。ステープル種類と、ステープルの条件および用紙の条件との関係については「ステープル種類判定テーブル」として予めテーブル化しておき、該ステープル種類判定テーブルを参照して取得するようにしてもよい。ステープル種類判定テーブルはプリンタドライバ６０と関連付け、画像処理装置１の図示を省略するＲＯＭ等の記憶手段に記憶させておいてもよい。
【００４８】
図４（ａ）に上記ステープル種類判定テーブルの一例を示す。図４（ａ）では、フィニッシャーの機種として、「フィニッシャーＡ」、「フィニッシャーＢ」を例示している。図４（ａ）では、「フィニッシャーの機種」、「用紙サイズ、方向」、「針無しステープル態様」に基づいて、ステープルの種類が判別される。図４（ａ）の例では、ステープルの種類を「フェイスアップ」の場合、「フェイスダウン」の場合で区別している。すなわち、オフセット量がフロントステープルとリアステープルで異なる場合があるため、本実施の形態ではよりオフセットの量が少ないステープル種類となるように、プリンタドライバ６０によってフェイスアップ、フェイスダウンを制御している。しかしながら、この区別は必要に応じて行えばよいもので、どちらか一方であってもよい。図４（ａ）で、例えば、フィニッシャーの機種がフィニッシャーＡ、用紙サイズ、方向がＡ４（ＳＥＦ）、針無しステープルの態様が１カ所−左上でフェイスアップの場合のステープル種類はフロント（図５（ａ）＜１＞参照）と特定される。
【００４９】
次のステップＳ１０４では、形成画像の移動量であるオフセット量を取得する。オフセット量はフィニッシャー機種、およびステップＳ１０２で取得したステープル種類に基づいて取得する。オフセット量と、フィニッシャーの機種およびステープル種類との関係は「ステープル種類−オフセット量判定テーブル」として予めテーブル化しておき、該ステープル種類−オフセット量判定テーブルを参照して取得するようにしてもよい。
【００５０】
図４（ｂ）にステープル種類−オフセット量判定テーブルの一例を示す。図４（ｂ）に示すように、ステープル種類−オフセット量判定テーブルにはフィニッシャーの機種およびステープル種類と、オフセット量が対応付けられている。図４（ｂ）の例では、オフセット量は短辺方向と長辺方向の２次元の移動量で特定される。むろん、これに限られず例えば短辺方向の１次元の移動量で特定するようにしてもよい。図４（ｂ）で、例えばフィニッシャーの機種がフィニッシャーＡ、ステープルの種類がフロントの場合の短辺方向のオフセット量は５ｍｍ、長辺方向のオフセット量は５ｍｍと特定される。
【００５１】
ステップＳ１０６では、ステップＳ１０４で取得したオフセット量を用いて、形成画像を移動させる。図５を参照して、針無しステープルの態様による形成画像の移動方法の違いについて説明する。図５（ａ）の黒矢印で示すように、フロントステープルの場合は針無しステープルが斜めなので形成画像を短辺方向および長辺方向に移動させ、形成画像Ｇ１を形成画像Ｇ１’とする。図５（ｂ）の黒矢印で示すように、リアステープルの場合は針無しステープルがほぼ長辺方向に沿っているので、形成画像を短辺方向に移動させ、形成画像Ｇ２を形成画像Ｇ２’とする。図５（ｃ）の黒矢印で示すように、デュアルステープルの場合は２個の針無しステープルがほぼ長辺方向に沿っているので、形成画像を短辺方向に移動させ、形成画像Ｇ３を形成画像Ｇ３’とする。
【００５２】
ステップＳ１０８では、ステップＳ１０６で形成画像を移動させた結果印刷が正常に行えるか否か判定する。印刷が正常に行えない場合とは、例えば形成画像が印刷領域からはみ出す場合である。当該判定が肯定判定となった場合には本綴じ処理プログラムを終了する一方、否定判定となった場合にはステップＳ１１０に移行する。
【００５３】
ステップＳ１１０では、正常な印刷が行えるように形成画像を縮小する。その後本綴じ処理プログラムを終了する。
【００５４】
なお、本実施の形態では、図５（ａ）に示すように、フロントステープルの場合も図５（ｂ）に示すリアステープル、図５（ｃ）に示すデュアルステープルの場合と同様に針無しステープル５０が形成画像Ｇ１と重複しない位置まで形成画像Ｇ１を移動させる形態を例示して説明したがこれに限られない。例えば、針無しステープル５０と形成画像Ｇ１の左下隅（角）の一部が重なるように移動する形態、すなわち相対的にオフセット量を少なくする形態としてもよい。これは、形成画像の角にあたる部分には余白が設けられ画像が形成されない場合があるからである。このことにより、図３のステップＳ１０８の判定で、正常に印刷可能と判定される可能性が増大する。
【００５５】
また、本実施の形態では、ステープル種類判定テーブルとステープル種類−オフセット量判定テーブルの２種類のテーブルを用いてオフセット量を設定する形態を例示して説明したが、これに限られない。例えば、ステープル種類判定テーブルとステープル種類−オフセット量判定テーブルとを１つのテーブルに統合し、該テーブルを用いて直接オフセット量を設定する形態としてもよい。
【符号の説明】
【００５６】
１      画像処理装置
２      画像形成装置
３      画像読取装置
４      操作受付装置
５      制御装置
６      第１用紙処理装置
８      第２用紙処理装置
９      端末装置
１０    画像形成部
１１    感光体ドラム
１２    一次転写ロール
１３    中間転写ベルト
１４    二次転写ロール
１５    定着装置
２０    用紙供給部
２０ａ  用紙トレイ
３０    筐体
３１    第１排出口
３２    第２排出口
３３    本体側積載部
４０    用紙搬送路
４０ａ  分岐部
４１    第１搬送路
４２    第２搬送路
４３    振分機構
４４    第１排出ロール
４５    第２排出ロール
５０、５０−１、５０−２  針無しテープル
６０    プリンタドライバ
６１    ネットワーク回線
６２    アプリケーションソフトウエア
６７    処理装置側積載部
Ｇ１、Ｇ１’、Ｇ２、Ｇ２’、Ｇ３、Ｇ３’  形成画像
Ｓ      用紙
【図１】
2020005205.tif 000003
【図２】
2020005205.tif 000004
【図３】
2020005205.tif 000005
【図４】
2020005205.tif 000006
【図５】
2020005205.tif 000007